(57)【特許請求の範囲】
【請求項１】
建物躯体に沿って配設された基枠と基枠の両端から補強ブラケットを介して側枠を突設し、両側の側枠の先端を前枠で連結して形成された庇枠の内側に複数のルーバー材を両側の側枠に通しで取り付けた建物の庇装置において、上記基枠には、上記ルーバー材と略同一面をなすように前方に張出す張出し部を有する基枠本体と、基枠本体の上下方にそれぞれ突出して建物躯体に取り付けるための取付部とを形成し、上記補強ブラケットには、上記基枠の上下の取付部の背面側に配置される背面板と、背面板の端部から略直角に折り曲げられて基枠本体と取付部の端面に当接する側面板とを設け、この側面板の上下幅を背面板の上下幅以上に形成し、この側面板を上記側枠とともに基枠の端面に固定するとともに、上記側面板によって上記基枠本体の上下方向に突出する取付部の端面を塞いだことを特徴とする庇装置。
【請求項２】
上記補強ブラケットを上記基枠と側枠との間に配置したことを特徴とする、請求項1に記載の庇装置。
【請求項３】
上記取付部を、上記基枠本体の基部からそれぞれ上下方に突出して上記建物躯体に固着される取付片と、取付片の先端から前方に突出する突片とから構成し、上記基枠本体と取付部とによって形成された凹状部の開口端をカバー材によって覆ったことを特徴とする、請求項１又は２に記載の庇装置。
【発明の詳細な説明】
【技術分野】
【０００１】
本発明は、主に建物の壁建物躯体に付設される庇装置に関する。
【背景技術】
【０００２】
一般に、建物の庇装置は太陽光を遮光するために設けられるものであるが、最近は、太陽光を完全に遮る機能を有するもののほか、太陽が高くて日射が厳しいときは陽射しを遮り、太陽が傾いているときは採光により明るくしたいとする要望が高まっており、これに対応するものとして、例えば特許文献１のような庇装置が提案されている。
【０００３】
これは、庇屋根をルーバー構造とし、ルーバー材の両端を、建物から突出するアーム材に所定の角度で固定することにより、太陽光が地面に対して垂直又は垂直に近い状態で当たるときは、遮光し、太陽光が地面に対して傾いてきたときは、隣り合うルーバー材の間から射し込んで採光が得られるようにしたものである。アーム材は建物躯体に取り付けられるベース部材に直接に取り付けるのではなく、まずベース部材に固定用アングルを取り付けておき、この固定用アングルにアーム材を固定するようになっている。固定用アングルはベース部材にビス止めされる固定板と固定板から垂直に突出してアーム材に差し込まれる差し込み部とから構成されている。固定用アングルの固定板と差し込み部とは溶接によって一体になっているので、庇部分自体が重かったり、庇に積雪等の荷重が加わったりすると、固定用アングルの溶接部分に応力が集中するので強度不足となる。このため、ベース部材を幅広にし、ルーバー材を短くするとともに、両端のアーム材の間に中間アームを設け、両端のアームと中間アームとの間にルーバーを取り付ける構造が採用されている。
【特許文献１】特開２００６−１８３３４５
【発明の開示】
【発明が解決しようとする課題】
【０００４】
しかしながら、ベース部材を幅広にし、ルーバー材の間に中間アームを設ける構成では、部品点数が多くなり、製作工程が増えてコストが高くなるほか、見栄えもよくなく、通風も妨げられるという問題点がある。
【０００５】
本発明は上記問題点を解消し、建物躯体に固定される基枠と基枠の両端から突出する側枠とを高強度のジョイント部材によって連結することにより、中間アームを省き、部品点数を減らし、製作工程を簡略にしてコストを低減し、意匠性を向上させ、さらに通風もよくすることができる建物の庇装置を提供することをその課題とする。
【課題を解決するための手段】
【０００６】
前記課題を解決するため、請求項１に係る発明は、建物躯体に沿って配設された基枠と基枠の両端から補強ブラケットを介して側枠を突設し、両側の側枠の先端を前枠で連結して形成された庇枠の内側に複数のルーバー材を両側の側枠に通しで取り付けた建物の庇装置において、上記基枠には、上記ルーバー材と略同一面をなすように前方に張出す張出し部を有する基枠本体と、基枠本体の上下方にそれぞれ突出して建物躯体に取り付けるための取付部とを形成し、上記補強ブラケットには、上記基枠の上下の取付部の背面側に配置される背面板と、背面板の端部から略直角に折り曲げられて基枠本体と取付部の端面に当接する側面板とを設け、この側面板の上下幅を背面板の上下幅以上に形成し、この側面板を上記側枠とともに基枠の端面に固定するとともに、上記側面板によって上記基枠本体の上下方向に突出する取付部の端面を塞いだことを特徴とする。
【０００７】
請求項２に係る発明は、請求項１において、上記補強ブラケットを上記基枠と側枠との間に配置したことを特徴とする。
【０００８】
請求項３に係る発明は、請求項１又は２において、上記取付部を、上記基枠本体の基部からそれぞれ上下方に突出して上記建物躯体に固着される取付片と、取付片の先端から前方に突出する突片とから構成し、上記基枠本体と取付部とによって形成された凹状部の開口端をカバー材によって覆ったことを特徴とする。
【発明の効果】
【０００９】
請求項１に係る発明によれば、屋根部分にルーバー材を設けたことにより、太陽が高くて日射が厳しいときは陽射しを遮り、太陽が傾いているときは採光することができ、しかも通風効果も得ることができる。
【００１０】
上記補強ブラケットは、上記基枠の上下の取付部の背面側に配置される背面板と、背面板の端部から略直角に折り曲げられて基枠本体と取付部の端面に当接する側面板とを設けた構成であり、折り曲げ部の長さが基枠本体に上下の取付部を加えたものとなり、非常に長いので、応力が集中しにくく、十分な強度を確保することができる。
【００１１】
このように、建物躯体に固定される基枠と基枠の両端から突出する側枠とを高強度のジョイント部材によって連結することにより、中間アームを省き、部品点数を減らし、製作工程を簡略にしてコストを低減することができる。また、ルーバー材は両側の側枠に通しで設けられるので意匠性が向上する。
【００１２】
また、上記補強ブラケットの側面板により上記基枠の取付部の端面を塞いでいるので、別途取付部の端面をキャップで覆う必要がない。
【００１３】
請求項２に係る発明によれば、上記補強ブラケットを上記基枠と側枠との間に配置したので、外部に補強ブラケットが大きく露出することがないので、庇装置の外観意匠が損なわれることがない。
【００１４】
請求項３に係る発明によれば、上記取付部を、上記基枠本体の基部からそれぞれ上下方に突出して上記建物躯体に固着される取付片と、取付片の先端から前方に突出する突片とから構成し、上記基枠本体と取付部とによって形成された凹状部の開口端をカバー材によって覆ったので、基枠の取付けネジを隠して見栄えを良くすることができる。
【発明を実施するための最良の形態】
【００１５】
以下に、本発明の最良の実施形態を図面によって説明する。
【００１６】
図１は庇装置を建物躯体に取り付けた状態の斜視図、図２はその縦断面図であり、図３は庇装置の斜視図である。符号１は建物躯体に形成された窓開口部である。この窓開口部１には窓サッシＡが設けられ、建物躯体の外壁２から室外側に張り出してアルミニウム製の庇装置３が取り付けられている。この庇装置３は、採光性と遮光性とを兼ね備えている。
【００１７】
すなわち、庇装置３は、図３に示すように、建物躯体の外壁２に沿って取り付けられる基枠４と、この基枠４の両端から補強ブラケット５を介して突出する側枠６と、これら側枠６の先端同士を接続する前枠７とを備え、これら基枠４、側枠６及び前枠７の内側には複数のルーバー材８を設けたものである。
【００１８】
上記基枠４は、図４に示されるように、基枠本体４ａと、基枠本体４ａの上下方にそれぞれ突出する取付部１０とから形成されている。
【００１９】
基枠本体４ａは、図４および図５に示されるように、ルーバー材８と同じ高さで、逆台形状の中空の張出し部１１の上下部から後方に段部１２を介して突出する平行な水平片１３、１４を設けたもので、張出し部１１にはビスホール１５が形成されている。上部水平片１３の端部には下方に屈曲する屈曲部１６が形成されている。水平片１３、１４の両側の端部は後述の補強ブラケット５の背面板５ａの大きさ分だけ切欠き形成されている。
【００２０】
取付部１０は、基枠本体４ａの基部からそれぞれ上下方に突出して上記建物躯体に固着される取付片１７、１８と、取付片１７、１８の先端から前方に突出する突片２０とから構成されている。取付部１０と基枠本体４ａの水平片１３、１４とによって前方に開口する凹状部が形成されている。凹状部の開口端には係止部２３が形成されている。なお、上下の取付片１７、１８の先端部近傍には後方に突出する突部２１が形成されている。
【００２１】
図５及び図６に示されるように、側枠６の内側にはルーバー材８の嵌合溝２４が形成され、外側上下部にはリブ状の係止部２５が突出形成されている。嵌合溝２４の上部溝壁２６には下向きに開口する受け溝２７が形成されている。なお、上部溝壁２６の基部には切欠き部３０（図４参照）が形成されている。
【００２２】
補強ブラケット５は、基枠４の上下の取付部１０の背面側に配置される背面板５ａと、背面板５ａの端部から前方に略直角に折り曲げられた側面板５ｂとから構成されている。背面板５ａの高さは、図５及び図６に示されるように、上記取付部１０の突片２０の上下の突部２１、２１間に嵌り合う程度に形成されている。側面板５ｂは基枠本体４ａの端面を覆うとともに、側枠６に差し込まれる差込み部３１と、該差込み部３１の上下に延出する覆い部３２とから横向きＴ字形に形成され、全体で基枠本体４ａの前後幅と略同じに形成されている。差し込み部３１の長さは特に限定されない。
【００２３】
前枠７は、図７に示されるように、前側の第１前枠７ａと後ろ側の第２前枠７ｂとから構成され、第２前枠７ｂの前部に形成された係止溝３３に第１前枠７ａの係止突片３４を係止し、上記係止溝３３の下部に形成された係合板３５の下面に第１前枠７ａの底板３６の上面を係合させ、係合板３５と底板３６とをビス止めするとともに、第１前枠７ａの両端面に蓋体３７（図３参照）を嵌め込み固定することによって構成されている。
【００２４】
なお、第２前枠７ｂの後面と上記基枠本体４ａの前面とは、図２に示されるように、次に示すルーバー材８の前後面と同じ角度で傾斜している。
【００２５】
ルーバー材８は断面が前後面が傾斜した平行四辺形状に形成され、各後面部にはビスホール１５が形成されている。
【００２６】
次に、庇装置３を組み立てるときは、まず図４及び図６に示されるように、補強ブラケット５の側面板５ｂの差込み部３１を側枠６の嵌合溝２４内の上部溝壁２６の受け溝２７と嵌合溝２４の下部溝壁３８との間に差し込むとともに、ビスで固定する。そして、側枠６と一体に結合した補強ブラケット５の側面板５ｂを基枠４の端面に当接し、側枠６の外側からビスを挿通して図５のように基枠本体４ａのビスホール１５にビス止め固定する。また、補強ブラケット５の背面板５ａを基枠４の取付部１０の背面側に形成された上下の取付片１７、１８の突部２１、２１間に嵌合させる。
【００２７】
次に、図８に示されるように、両側の側枠６の嵌合溝２４内にルーバー材８を嵌合させてスライドさせ、所定の位置で側枠６の外側からビスを挿通してルーバー材８のビスホール１５にビス止め固定する。さらに、図９に示されるように、前枠７の第２前枠７ｂを側枠６の嵌合溝２４の前端から挿入し、図２に示されるように、側枠６の外側からビスを挿通して第２前枠７ｂのビスホール１５にビス止め固定する。さらに、図１０および図１１に示されるように、側枠６の外側係止部２５（図１０参照）には側枠カバー４０を係止装着する。
【００２８】
さらに、庇装置３を建物躯体に取り付けるときは、図５のように予め建物躯体の外壁２の所定位置に仮止め用の金具４１を２、３個固定しておき、上記基枠４の基枠本体４ａの水平片１３の端部の屈曲部１６を上記仮止め金具４１に係止する。そして、図１２に示されるように、上下の取付片１７、１８から固定ネジ４２を貫通させて建物躯体に基枠４を固定する。端部の固定ネジ４２は上下の取付片１７、１８とともに補強ブラケットの背面板５ａのネジ挿通孔４５を貫通して建物躯体にねじ込まれる。最後に、基枠本体４ａの上下の凹状部の開口端の係止部２３にカバー材４３の係止部４４を係止させて装着する。カバー材４３の両端部は補強ブラケット５の覆い部３２の内面に突き当てられる。これにより、庇装置３が完成する。
【００２９】
上記庇装置３によれば、屋根部分にルーバー材８を設けたことにより、太陽が高くて日射が厳しいときは陽射しを遮り、太陽が傾いているときは採光することができ、しかも通風効果も得ることができる。
【００３０】
上記補強ブラケット５は、上記基枠４の上下の取付部１０の背面側に固定される背面板５ａと、背面板５ａの端部から略直角に折り曲げられて基枠本体４ａと取付部１０の端面に当接する側面板５ｂとを設けた構成であり、折り曲げ部の長さが基枠本体４ａに上下の取付部１０を加えたものとなり、非常に長いので、応力が集中しにくく、十分な強度を確保することができる。
【００３１】
このように、建物躯体に固定される基枠４と基枠４の両端から突出する側枠６とを高強度のジョイント部材によって連結することにより、中間アームを省き、部品点数を減らし、製作工程を簡略にしてコストを低減することができる。また、ルーバー材８は両側の側枠６に通しで設けられるので意匠性が向上する。
【００３２】
また、上記補強ブラケット５の側面板５ｂにより上記基枠４の取付部１０の端面を塞いでいるので、別途取付部１０の端面をキャップで覆う必要がない。
【００３３】
さらに、上記取付部１０を、上記基枠本体４ａの基部からそれぞれ上下方に突出して上記建物躯体に固着される取付片１７、１８と、取付片１７、１８の先端から前方に突出する突片２０とから構成し、上記基枠本体４ａと取付部１０とによって形成された凹状部の開口端をカバー材４３によって覆ったので、基枠４の固定ネジ４２を隠して見栄えを良くすることができる。しかも、カバー材４３の両端は上記補強ブラケット５の側面板５ｂに当接するので、上記凹状部から抜け出ることが防止される。
【００３４】
なお、庇装置３を組み立てる場合、図３、図７、図８等に示したように、初めに基枠４の一端から補強ブラケット５を介して両側の側枠６を取り付ける実施形態に限定されない。図示は省略するが、最初は基枠の一端から補強ブラケットを介して一方の側枠のみを取り付けておき、この側枠に対して各ルーバー材の一端を突き当ててビス止めし、その後、同様にして基枠の他端に補強ブラケットを介して他方の側枠を取り付け、この側枠に各ルーバー材の他端を突き当ててビス止め固定し、さらに両側枠の外側からビスを挿通して前枠を固定するという手順によってもよい。
【００３５】
また、上述の形態は、補強ブラケットを上記基枠と側枠との間に配置したものであるが、これに限定されない。補強ブラケットを上記基枠と側枠の外側に配置する形態であってもよい。
【図面の簡単な説明】
【００３６】
【図１】庇装置を建物躯体に取り付けた状態の斜視図
【図２】本発明に係る庇装置の縦断面図
【図３】上記庇装置の斜視図
【図４】上記庇装置の基枠と側枠との組立て分解斜視図
【図５】基枠部分の拡大断面図
【図６】補強ブラケットの側枠への取付態様図
【図７】前枠の構成態様説明図
【図８】上記庇装置のルーバー材の取付態様説明図
【図９】上記庇装置の前枠の取付態様説明図
【図１０】上記庇装置の側枠カバーの取付態様説明図
【図１１】上記庇装置の完成直前の斜視図
【図１２】上記庇装置の壁躯体への取付態様説明図
【符号の説明】
【００３７】
４    基枠
４ａ  基枠本体
５    補強ブラケット
５ａ  背面板
５ｂ  側面板
６    側枠
８    ルーバー材
１０  取付部
１１  張り出し部
【図１】
0005236345.tif 000002
【図２】
0005236345.tif 000003
【図３】
0005236345.tif 000004
【図４】
0005236345.tif 000005
【図５】
0005236345.tif 000006
【図６】
0005236345.tif 000007
【図７】
0005236345.tif 000008
【図８】
0005236345.tif 000009
【図９】
0005236345.tif 000010
【図１０】
0005236345.tif 000011
【図１１】
0005236345.tif 000012
【図１２】
0005236345.tif 000013